Podtech/llm-jp-corpus-v4-ja_patent huggingface dataset:
(57)【要約】【課題】取扱い性や有効性を向上させ、浴槽水での利用だけでなく居住室内や屋内でも利用できる天然ラジウム放射能とマイナスイオンを放射するセラミックスの製造方法を提供すること。【解決手段】玉川温泉の湯の花を含有することにより、湯の花に含まれる天然ラジウム元素より放射されるラジウム放射能とマイナスイオンを放射し続けることを特徴とするセラミックスの製造方法。【選択図】  図１
2004307313.tif 000002
【特許請求の範囲】
【請求項１】
秋田県八幡平玉川温泉の湯の花粉末を加熱して硫黄成分を焼去し、粘土と混練して球状及び板状に成形して焼結した、玉川温泉の湯の花を含有することを特徴とするセラミックスの製造方法。
【請求項２】
玉川温泉の湯の花を含有することにより、湯の花に含まれる天然ラジウム元素から放射されるラジウム放射能とマイナスイオンを放射し続けることを特徴とする請求項１記載のセラミックスの製造方法。
【発明の詳細な説明】
【０００１】
【発明の属する技術分野】
本発明は、秋田県の玉川温泉の「湯の花」を含有する、天然ラジウム放射能とマイナスイオンを放射するセラミックスの製造方法に関する。
【０００２】
【従来の技術】
近年医学の分野に於いて、薬だけでは治療しきれない慢性的なさまざまの内臓疾患や、疼痛性疾患などの健康障害回復に関し、物理療法で治す治療法が見直されている。この種の物理的な治療方法には、磁気及び遠赤外線効果・マイナスイオン効果・天然ラジウム効果などが挙げられる。特に最近では、天然ラジウム放射能の医学的効果は、微弱放射線やマイナスイオンが体細胞を刺激し新陳代謝を活性化するという放射線ホルミシス効果であると言われ、秋田県八幡平玉川温泉で産出される天然ラジウム元素を含有する「湯の花」を利用した治療器の特開２００２−１３６６１０、実登３０８０２９９や、トルマリン鉱石を用いた陰イオン発生器の特開２００２−３５７７１などの健康器具がある。
【０００３】
【発明が解決しようとする課題】
上記従来技術の天然ラジウム元素を含有する玉川温泉の湯の花を利用した治療器は、湯の花が粉末状の為、飛散しないように生地に貼付たり、密封貼付して利用しているため浴槽水での利用や、取扱い性に欠け、湯の花に含有する硫黄成分が多量に含まれるため、長時間に渡り肌に直接印可できないという欠点があった。
【０００４】
また、上述のトルマリン鉱石を用いた陰イオン発生器は、トルマリン鉱石を主構成要素としているが、トルマリン鉱石自体はほとんどマイナスイオンを発生せず温度変化、風圧、摩擦、焦電、圧電、遠赤外線等の外部刺激によりマイナスイオンを発生する特徴があるが、発生量が極めて低いのが現実でありマイナスイオン効果の有効性と速効性に欠けると言う弱点があった。
【０００５】
そこで本願発明は、この点に着目し天然ラジウムを含有する玉川温泉の湯の花を浴槽水等での利用可能だけでなく、有効性、速効性や取扱い性を向上させ居住室内や屋外でも利用可能を目的とした天然ラジウム放射能とマイナスイオンを放射するセラミックスの製造方法を提供することにある。
【０００６】
【課題を解決するための手段】
本発明の上述の目的は、玉川温泉の湯の花粉末を加熱して硫黄成分を焼去し、粘土と混練して球状及び板状に成形して焼結した、玉川温泉の湯の花を含有することを特徴としたセラミックスの製造方法である。
【０００７】
また、玉川温泉の湯の花を含有することにより、湯の花に含まれる天然ラジウム元素より放射されるラジウム放射能とマイナスイオンを放射し続けることを特徴とするセラミックスの製造方法によって達成される。
【０００８】
【発明の実施の形態】
本発明にかかる玉川温泉の湯の花含有セラミックス（以下「湯の花含有セラミックス」と略称する。）の製造方法は、温泉成分の結晶である湯の花鉱泥を乾燥させ粉末状にしたものを、一度加熱して硫黄成分を焼去し、粘土を加熱して粉末状としたものと均一に混練した後に水分を加えて球状又は、板状に成形してから乾燥させ、高温で加熱しセラミック化する。
【０００９】
以下、発明の実施の形態を実施例にもとずき図面を参照して説明する。
図１に示される実施例では、ステンレス製の適宜容積の円盤状の収納容器（１）の上下面に５〜７ｍｍの貫通孔を形成し、内側にステンレス製金網を取り付けて、収納物として竹炭セラミックス（２）と球状の湯の花含有セラミックス（３）及び、遠赤セラミック（４）を収納してある。
【００１０】
図２に示される実施例では、湯の花含有セラミックスを収納した収納容器（１）を浴槽の底に沈めて入浴し、入浴中にセラミックスより放射される天然ラジウムとマイナスイオン及び、遠赤外線効果を享受することができる。
【００１１】
図３（ａ）（ｂ）に示される実施例は、上述の製造方法よって８〜１０ｍｍ程度の球状に成形された湯の花含有セラミックスを（ａ）のように中心部分に１〜２ｍｍ程度の貫通孔を形成して、（ｂ）のようにひも又はワイヤーなどを通し、リング状に結束してネックレスやブレスレットに利用できる。
【００１２】
表１は、上述の実施形態で製造された湯の花含有セラミックス１００ｇの放射能カウント数とマイナスイオンのカウント数を測定した測定結果である。
【００１３】
【発明の効果】
本発明は、以上説明したように構成されているので、以下に記載されるような効果を奏する。
【００１４】
玉川温泉の湯の花をセラミック化したことにより、収納等や取扱い性が向上し、浴槽水での繰り返し利用が可能となった。
【００１５】
また、湯の花の硫黄成分を焼去してある為、肌に直接印可しても硫黄成分による弊害がおこらず、アクセサリーなどへ使用でき、居住室内や屋外でも常時肌に直接印可して、ラジウム放射能とマイナスイオンの効能と効果を簡易に享受できる。
【００１６】
さらに、湯の花に含有する天然ラジウム元素より放射される放射能とマイナスイオンが、トルマリン鉱石を使用した物に比べ多量に放射される為、絶大なる効果を発揮する。
【００１７】
【図面の簡単な説明】
【図１】湯の花含有セラミックスの実施形態を示した断面図である。
【図２】湯の花含有セラミックスの実施例を示した斜視図である。
【図３】湯の花含有セラミックスの実施例を示した斜視図である。
【表１】湯の花含有セラミックスの測定数値表である。
【符号の説明】
１  収納容器
２  竹炭セラミックス
３  湯の花含有セラミックス
４  遠赤セラミックス
５  金網
２１  貫通孔
２２  ひも
【図１】
2004307313.tif 000003
【図２】
2004307313.tif 000004
【図３】
2004307313.tif 000005
2004307313.tif 000006
(57)【要約】【課題】搬送性に対して設計の自由度が大きく、分解が容易で再使用やリサイクル性にも優れ、製作も容易な粉流体らせん搬送器を得る。【解決手段】図は、例えばトナーカートリッジのような外筒の内部に回転可能に嵌装される搬送用回転羽根体２０を示す。４１は前枠、４２は後枠、４３、４４は前後の枠を連結する長手方向梁を示す。４５、４６は補強枠である。これらの長手方向梁と枠で回転フレーム４０を構成する。長手方向梁４３、４４の各々には軸方向と所定の角度を持って、それぞれ複数の羽根片３１、３２が取り付けられ、羽根体３０を構成している。この２群の羽根片３１、…と３２、…は集合した全体としてらせん羽根を構成する。４７は回転接続部である。この発明では外筒を含めて凡ての部品を合成樹脂で形成する。【選択図】    図２
2004307139.tif 000002
【特許請求の範囲】
【請求項１】
外筒の内部に搬送用回転羽根体を、回転可能に嵌装して構成されている粉流体らせん搬送器において、
部品は凡て合成樹脂で形成し、搬送用回転羽根体は、前枠と後枠と、その間を連結する２本の長手方向梁などからなる回転フレームと、
各々の梁に所定の角度を持って取り付けられた複数の羽根片からなり、集合した全体としてらせん羽根体を構成するように設けられた２組の羽根片の群からなる羽根体とからなることを特徴とする粉流体らせん搬送器。
【発明の詳細な説明】
【０００１】
【発明の属する技術分野】
この発明は例えばトナーなどの粉流体を搬送する粉流体らせん搬送器に関し、搬送性に対して設計の自由度が大きく、分解が容易で、再使用、リサイクル性に優れた搬送器を得ようとするものである。
【０００２】
【従来の技術】
図１は例えばトナーのような粉流体のらせん搬送器１０の構成を原理的に示した図であって、１は分割して示された外筒（例えばトナーカートリッジ）、２は外筒内に回転可能に嵌装されたらせん羽根（図では模式的に示されている）である。外筒１内にトナー３が充填されている場合、らせん羽根２を図のＲ方向に回転すればトナー３は矢印Ｆ方向に推され、出口４から排出される。
【０００３】
このらせん羽根は従来は金属の線材をスパイラル状に加工したものが用いられていた。
【この発明が解決すべき問題点】
【０００４】
従来の粉流体の搬送器のらせん羽根は、金属の線材をスパイラル状に加工したもので、搬送性に対して設計の自由度が小さく、金属を使用するのでコストがかかり、完成品の分解が困難で、又再使用やリサイクルの性能が劣っていた。そこでこれらの欠点を解消する必要性がある。
【課題を解決するための手段】
【０００５】
この発明は前記の課題を解決するために、「外筒の内部に搬送用回転羽根体を、回転可能に嵌装して構成されている粉流体らせん搬送器において、
部品は凡て合成樹脂で形成し、搬送用回転羽根体は、前枠と後枠と、その間を連結する２本の長手方向梁などからなる回転フレームと、
各々の梁に所定の角度を持って取り付けられた複数の羽根片からなり、集合した全体としてらせん羽根体を構成するように設けられた２組の羽根片の群からなる羽根体とからなることを特徴とする粉流体らせん搬送器。」を得たものである。
【実施例】
【０００６】
この発明の粉流体のらせん搬送器は、例えばトナーカートリッジのような外筒の内部に搬送用回転羽根体を回転可能に換装して構成し、外筒も含めて全部品を合成樹脂で形成するものである。
【０００７】
図２は搬送用回転羽根体２０を示す斜視図であって、４１は前枠、４２は後枠を示し、その間を２本の長手方向梁の４３、４４、で連結している。４５、４６は補強枠である。これらの枠４１、４２、４５、４６ならびに長手方向梁４３、４４によって回転フレーム４０を構成する。
【０００８】
長手方向梁４３、４４にはそれぞれ軸方向と所定の角度を持って複数の羽根片３１、３２が取り付けられている。この二つの羽根片の群３１、…と３２、…によって羽根体３０を構成する。
【０００９】
図３は図２を軸方向（図のＦ方向）にみて前後の枠４１、４２と長手方向梁４３、４４との位置関係を示した説明図である。図４は図３をＡ方向からみた投影図であって、４１は前枠、４２は後枠、４３、４４は長手方向梁、３１、３２はそれぞれ長手方向梁に取り付けられた羽根片を示している。
【００１０】
図５は図３をＢ方向からみて羽根片の方向を示す投影図である。３１、３２は羽根片を示し、長手方向梁４３、４４は重なってみえている。図から判るように、投影してみると、各羽根片３１、３２の端部がオーバーラップするように取り付けられていて、２組の羽根群３１、…と３２、…とは集合した全体としてらせん羽根体が構成されるようになっている。
【００１１】
図６は図４のＥ−Ｅ断面図であって、４１は前枠、４２は後枠４３は長手方向梁、４５は補強枠、３１は長手方向梁４３に取り付けられた羽根片、４７は回転接続部をそれぞれ示している。
【００１２】
以上説明した搬送用回転羽根体２０を図１で示したような外筒内に嵌装し、回転させれば外筒内に充填した例えばトナーのような粉流体を搬送することができる。
【００１３】
搬送すべき粉流体の粒径、種類、粘性等に応じて羽根片の数、高さ、角度、長さ等を調整することにより、１回転当たりの吐出量が自由に設定することができる。また回転フレームの厚みや幅、本数なども必要な剛性に応じて変更する。
【００１４】
各部品は合成樹脂で形成されているので、金属製のものに比し、搬送性に対して設計の自由度が大きく、完成品の分解も容易で、再使用やリサイクル性に優れている。さらにまた長手方向梁に独立した羽根片を取り付けているので、金型構造もシンプルになり、コスト面やメンテナンス性においても優れている。
【発明の効果】
【００１５】
この発明の粉流体らせん搬送器は前記の如き構成であって、各部品が合成樹脂で形成されているので、搬送性に対して設計の自由度が大きく、分解も容易で再使用やリサイクル性に優れ、また金型構造もシンプルになるためコスト面やメンテナンス性にも優れている。
【図面の簡単な説明】
【図１】らせん搬送器を原理的に示した図
【図２】搬送用回転羽根体の斜視図
【図３】図２の各部品の位置関係の説明図
【図４】図３のＡ方向からの投影図
【図５】図３のＢ方向からの投影図
【図６】図４のＥ−Ｅ断面図
【符号の説明】
１    外筒
２    らせん羽根
３    トナー
４    出口
１０    らせん搬送器
２０    搬送用回転羽根体
３０    羽根体
３１    羽根片
３２    羽根片
４０    回転フレーム
４１    前枠
４２    後枠
４３    長手方向梁
４４    長手方向梁
４５    補強枠
４６    補強枠
４７    回転接続部
【図１】
2004307139.tif 000003
【図２】
2004307139.tif 000004
【図３】
2004307139.tif 000005
【図４】
2004307139.tif 000006
【図５】
2004307139.tif 000007
【図６】
2004307139.tif 000008
(57)【要約】【課題】設計の自由度が大きく、分解が容易で、再使用、リサイクル性に優れ、コスト低下も図れる粉流体らせん搬送器を得る。【解決手段】図は、例えばトナーカートリッジのような外筒の内部に嵌装される搬送用回転羽根体２０を示す。４１は前枠、４２は後枠、４３ないし４６は前後の枠を連結する長手方向梁（図示の例では４本）であって、これらの枠と長手方向梁で回転フレーム４０を構成する。この回転クレーム４０を捲回して、第１、第２のらせん羽根３１、３２が取り付けられている。これらのらせん羽根で羽根体３０を構成する。４７は回転接続部である。構成部品は外筒も含めて凡て合成樹脂で形成する。【選択図】    図２
2004307140.tif 000002
【特許請求の範囲】
【請求項１】
外筒の内部に搬送用回転羽根体を、回転可能に嵌装して構成されている粉流体らせん搬送器において、
部品は凡て合成樹脂で形成し、搬送用回転羽根体は、前枠と、後枠と、その間を連結する複数の長手方向梁とによって構成される回転フレームと、
この回転フレームを捲回するように、該フレームに取り付けられているらせん羽根からなる羽根体とから構成されていることを特徴とする粉流体らせん搬送器。
【発明の詳細な説明】
【０００１】
【発明の属する技術分野】
この発明は例えばトナーのような粉流体を軸方向に搬送する粉流体らせん搬送器に関する。
【０００２】
【従来の技術】
図１は例えばトナーのような粉流体のらせん搬送器１０の構成を原理的に示した説明図であって、半分に分割して示されている外筒１（例えばトナーカートリッジ）の内部にらせん羽根２（図では模式的に示されている）が回転可能に嵌装されている。羽根２が図のＲ方向に回転することにより、外筒１内の粉流体３（例えばトナー）が矢印Ｆの方向に搬送され、出口４から吐き出される。
【０００３】
従来の搬送器ではらせん羽根２は金属の線材をスパイラル状に加工して製作していた。
【この発明が解決すべき問題点】
【０００４】
従来のらせん搬送器のらせん羽根は、金属線材をスパイラル加工したものであるので、所望の搬送性に対して設計の自由度が小さく、コストを下げることも不可能で、カートリッジからの分解（取り出し）も困難であり、再使用やリサイクル性も悪かった。そこでこれらの欠点を解決する必要性がある。
【課題を解決するための手段】
【０００５】
この発明は前記の課題を解決するために、「外筒の内部に搬送用回転羽根体を、回転可能に嵌装して構成されている粉流体らせん搬送器において、
部品は凡て合成樹脂で形成し、搬送用回転羽根体は、前枠と、後枠と、その間を連結する複数の長手方向梁とによって構成される回転フレームと、
この回転フレームを捲回するように、該フレームに取り付けられているらせん羽根からなる羽根体とから構成されていることを特徴とする粉流体らせん搬送器。」を得たものである。
【実施例】
【０００６】
図２は図１に示す外筒の内部に回転可能に嵌装されている搬送用回転羽根体２０を示す斜視図である。
【０００７】
４１は前枠、４２は後枠であって、複数本の長手方向梁によって連結されている。図では４本の梁４３、４４、４５、４６が示されている。これらの枠４１、４２と、長手方向梁４３〜４６によって、回転フレーム４０が構成されている。
【０００８】
そしてこの回転フレーム４０を捲回して、図示の例では２本のらせん羽根が取り付けられている。３１は第１らせん羽根、３２は第２らせん羽根を示していて、両者で羽根体３０を構成している。図３は搬送用回転羽根体２０を後枠４２から前枠４１の方向にみて（即ち図２のＦ方向にみて）枠４１、４２と長手方向梁４３ないし４６の位置関係を示したものであって、前後の枠４１、４２に４本の長手方向梁４３ないし４６が取り付けられていることが表されている。
【０００９】
図４は長手方向梁４３と４５とが水平に重なるように（即ち図３のＡ方向にみて）示された側面図であって、４１は前枠、４２は後枠であり、長手方向梁４３と４５は重なっている。４４、４６は他の長手方向梁を示している。３１、３２はそれぞれ第１、第２のらせん羽根である。前述の如く前後の枠と長手方向梁とで回転フレーム４０を構成し、らせん羽根（図示の例では２本）によって羽根体３０を構成する。そして羽根体３０と回転フレーム４０とによって搬送用回転羽根体２０を構成している。４７は回転接続部である。
【００１０】
図５は図３で長手方向梁４４と４６が垂直に重なる方向（即ち図３のＢ方向）からみて、羽根の方向を示す展開図であって、３１、３２はそれぞれ羽根を示し、らせん角度が表されている。長手方向梁４４と４６は重なっており、４３、４５はその他の梁を表している。
【００１１】
図６は図４のＥ−Ｅ断面であって、長手方向梁４６がみえており、４３、４５はその他の梁を表している。３１と３２はそれぞれ第１と第２のらせん羽根であって、その走る方向で示されている。
【００１２】
この発明の粉流体らせん搬送器は、例えばトナーカートリッジのような外筒も含めて、搬送用回転羽根体も凡ての部品を合成樹脂で形成する。又トナーなどの搬送すべき粉流体の粒径、種類（粉砕、重合）等に応じて羽根の高さ、角度、長さ等を任意に調整することができる。それにより、１回転当たりの吐出量を自由に設定することができる。長手方向梁は必要な剛性に応じて、厚みや幅、本数等を変更する。
【００１３】
又各部品が合成樹脂製であるので、金属よりも所望の搬送性に対して設計の自由度が大きく、トナーカートリッジなどからの分解（取り出し）が容易で、再使用、リサイクル性に優れ、コストの低減も可能である。
【発明の効果】
【００１４】
この発明の粉流体らせん搬送器は前記の如き構成であって、部品が凡て合成樹脂で形成されているので、所望の搬送性に対して設計の自由度が大きく、分解も容易で、再使用、リサイクル性に優れ、コストの低減も図ることができる。
【図面の簡単な説明】
【図１】らせん搬送器を原理的に説明した図
【図２】搬送用回転羽根体の斜視図
【図３】図２の各部品の位置関係を示す説明図
【図４】図３のＡ方向からみた側面図
【図５】図３のＢ方向からみた羽根の方向を示す図
【図６】図４のＥ−Ｅ断面図
【符号の説明】
１    外筒
２    らせん羽根
３    トナー
４    トナー出口
１０    らせん搬送器
２０    搬送用らせん羽根体
３０    羽根体
３１    第１らせん羽根
３２    第２らせん羽根
４０    回転フレーム
４１    前枠
４２    後枠
４３    長手方向梁
４４    長手方向梁
４５    長手方向梁
４６    長手方向梁
４７    回転接続部
【図１】
2004307140.tif 000003
【図２】
2004307140.tif 000004
【図３】
2004307140.tif 000005
【図４】
2004307140.tif 000006
【図５】
2004307140.tif 000007
【図６】
2004307140.tif 000008
(57)【要約】【課題】人に対して副作用が無く、確実に効果的に作用する、マラリア等の原虫感染症予防治療薬を提供する。【解決手段】ω３脂肪酸、たとえば、５，８，１１，１４，１７−エイコサペンタエン酸（ＥＰＡ）、又は４，７，１０，１３，１６，１９−ドコサヘキサエン酸（ＤＨＡ）と、ビタミンＥ等の抗酸化剤を含む原虫感染症予防治療医薬である。ω３脂肪酸は、イワシ、サバなどの海産魚の魚油や、イカ、タラなどの肝油などに含まれている。投与は、マラリア原虫に感染した人に対して、１０〜１００ｍｇ／体重ｋｇ／日を、一日２〜５回に分けて投与する。【選択図】    なし【特許請求の範囲】
【請求項１】
ω３脂肪酸と抗酸化剤を含むことを特徴とする原虫感染症予防治療薬。
【請求項２】
５，８，１１，１４，１７−エイコサペンタエン酸（ＥＰＡ）、又は４，７，１０，１３，１６，１９−ドコサヘキサエン酸（ＤＨＡ）と、ビタミンＥを含むことを特徴とする原虫感染症予防治療薬。
【請求項３】
上記ω３脂肪酸は、海産魚の魚油または肝油から抽出したＥＰＡ及びＤＨＡからなるこことを特徴とする請求項１記載の原虫感染症予防治療薬。
【発明の詳細な説明】
【０００１】
【発明の属する技術分野】
この発明は、マラリアやフィラリア等の原虫感染症の予防薬及び治療薬に関する。
【０００２】
【従来の技術】
【特許文献１】特開平５−１４８１４０号公報
マラリアは、ハマダラ蚊によって媒介される原虫感染症である。人に感染する原虫種は、熱帯熱マラリア原虫、三日熱マラリア原虫、四日熱マラリア原虫、及び卵形マラリア原虫である。マラリアの臨床症状は、マラリア蚊により体内に入り込んだ原虫が人の赤血球に侵入し増殖を繰り返し、この赤血球期に発熱等の臨床症状を引き起こす。従来、抗マラリア化合物として、クロロキン、キニーネ等のマラリア治療薬が使用されているが、これらの薬剤に対して耐性を持つ原虫が増えていると言う問題がある。また、抗原が一定でないためワクチンの製造が困難であると言う問題もある。これらの理由により、マラリアに対して決定的な治療法は確立されていない。
【０００３】
一方、特許文献１に開示されているように、ＤＨＡ、ＥＰＡがマラリア治療薬として期待できることが発表されている。
【０００４】
【発明が解決しようとする課題】
しかしながら、特許文献１に開示されたマラリア治療薬においては、ＥＰＡ、ＤＨＡが人に対してどのように作用してマラリア治療に寄与するかが解明されておらず、ＤＨＡ、ＥＰＡのマラリア治療薬としての作用効果は不明な状態であった。
【０００５】
この発明は、人に対して副作用が無く確実に効果的に作用する、マラリア等の原虫感染予防症予防治療薬を提供することを目的とする。
【０００６】
【課題を解決するための手段】
この発明は、ω３脂肪酸、たとえば、５，８，１１，１４，１７−エイコサペンタエン酸（ＥＰＡ）、又は４，７，１０，１３，１６，１９−ドコサヘキサエン酸（ＤＨＡ）と、ビタミンＥ等の抗酸化剤を含む原虫感染症予防治療薬である。ω３脂肪酸は、イワシ、サバなどの海産魚の魚油や、イカ、タラなどの肝油などに含まれている。
【０００７】
この発明の原虫感染症予防治療薬は、カプセル剤として投与する。投与は、マラリア原虫に感染した人に対して、１０〜１００ｍｇ／体重ｋｇ／日を、一日２〜５回にわけて投与する。また、感染予防としても、同様に摂取するとよい。抗酸化剤としては、α−トコフェノール、ＢＨＴ等でも良い。
【０００８】
この発明の原虫感染症予防治療薬によれば、ω３脂肪酸の摂取により、マラリア原虫は体内で生殖母体となって不活性化する。不活性化したマラリアの生殖母体は、発熱等を生じさせず、体内でそのまま消滅し症状は治癒する。
【０００９】
【発明の実施の形態】
この発明の一実施形態の原虫感染症治療薬は、ω３脂肪酸であるＥＰＡを約５〜１０重量％、ＤＨＡを約２０〜９０％含有し、さらに抗酸化剤としてビタミンＥを約０．０５〜５％含有するカプセル剤である。
【００１０】
このカプセル剤をＥＰＡ、ＤＨＡの量にして１日当たり１〜１０ｇ摂取する。
これにより、マラリアに感染しても、クロロキン等の治療薬を服用することにより早期に治癒する。これは、赤血球期に入ったマラリア原虫が、ＥＰＡ、ＤＨＡにより不活性化し消滅するためである。
【００１１】
ここで、ω３脂肪酸であるＥＰＡ，ＤＨＡによりマラリア原虫が不活性化するメカニズムは、赤血球期におけるマラリア原虫の細胞増殖機構において、パルミチン酸とオレイン酸が必須脂肪酸であることによる。即ち、赤血球期におけるマラリア原虫は、血清アルブミンに結合している飽和脂肪酸と不飽和脂肪酸の混合物が細胞分裂に必須の因子であり、パルミチン酸とオレイン酸がマラリア原虫細胞の形態変化に各々独立した働きを担っている。さらに、対数的に増加するためのＤＮＡ合成には、この両脂肪酸が不可欠である。しかし、ＥＰＡ、ＤＨＡを摂取することにより、人の血液中のＥＰＡ，ＤＨＡが増加し、相対的にパルミチン酸とオレイン酸が低下し、マラリア原虫にとって住みにくい環境となる。これによりマラリア原虫は生殖母体となって不活性化し、他の個体へ移ろうとするためであると考えられる。
【００１２】
なお、ＥＰＡ，ＤＨＡであるω３脂肪酸は、マラリア原虫以外に、フィラリア原虫に対しても同様に作用する。また、上記理由により、ＥＰＡ，ＤＨＡを常時摂取することにより、マラリアにかかりにくい体にすることができ、ω３脂肪酸であるＥＰＡ，ＤＨＡは、マラリア予防薬としても有効である。
【００１３】
【実施例】
以下、この発明の実施例について説明する。ここでは、インドネシアにおいて、ＥＰＡ、ＤＨＡ入りカプセルを毎日服用したグループと、対照として植物油を同量服用したグループのなかで、マラリアに感染した患者の治癒状態を調べた。
【００１４】
その結果、ＥＰＡ、ＤＨＡ入りカプセルを毎日服用したグループのうちのマラリア感染者６名のうち、２名の血液から不活性化したマラリア原虫である生殖母体が検出された。また他の４名も早期に治癒した。４名について不活性化した生殖母体が検出されなかったのは、マラリア感染後、血液検査までの間に生殖母体が消滅したものと思われる。これに対して対照グループの方は、マラリアに感染した７名の何れからも血液中に不活性化した生殖母体は検出されなかった。従って、ＥＰＡ、ＤＨＡ入りカプセルを服用することにより、マラリア原虫は不活性化し、早期に治癒することが分かった。
【００１５】
【発明の効果】
この発明によれば、ω３脂肪酸を摂取することにより、マラリア原虫が不活性化し、他の治療薬による治療効果を促進し、容易にマラリア治療を行うことができる。また、この発明のマラリア治療薬は、製造が容易で化学的に安定であり、人に対して副作用が無く、摂取が容易であり、継続的な摂取も可能であり、マラリア等の原虫感染症の治療及び予防に効果的に機能する薬剤を提供することができる。さらに、同様の原虫感染症を引き起こすフィラリアにも同様の効果がある。
(57)【要約】【課題】樹木及び人体に対して安全であり、かつ適正な摘花効果のある摘花剤を提供する。【解決手段】過酢酸、過プロピオン酸等の有機過酸を有効成分として含有する摘花剤。該摘花剤を花が約５０％開花したときと、満開になったときに散布する。【特許請求の範囲】
【請求項１】
有機過酸を有効成分として含有する摘花剤。
【請求項２】
有機過酸が過酢酸である請求項１の摘花剤。
【請求項３】
有機過酸を有効成分として含有する摘花剤を、花が約５０％開花したとき、及び満開になったときに散布することを特徴とする摘花方法。
【発明の詳細な説明】
【０００１】
【産業上の利用分野】
本発明は、りんご、ナシ、桃、西洋ナシ、サクランボ及びスモモ等の摘花剤、及び摘花方法に関する。
【０００２】
【従来の技術】
りんご、ナシ、桃等の果樹は、高品質な果実を得るために摘花が行われる。放っておけば多数の結実があるため、樹木は養分を過剰に消耗し、樹勢が衰弱して高品質の果実（大玉な果実等）を得ることができない。そのため、果実の適正な着果を促すために摘花が行われる。
摘花の方法として、花を摘み取る方法があるが、この方法は、多大な労力が必要となり、その人手を集めること自体困難である。
【０００３】
石灰硫黄合剤、或いはクエン酸、グルコン酸、コハク酸、乳酸等の有機酸を有効成分とする、摘花剤を散布する方法も開示されているが（特許文献１参照）、石灰硫黄合剤は、水溶性でないため、散布された樹皮や葉面に被膜を形成しやすく、石灰硫黄合剤散布後に散布される農薬の効果を減じること。また、強い塩基性であることから、樹木や人体への悪影響が指摘されている。
有機酸は、水溶性であり、散布された樹皮や葉面に被膜を形成せず、人体に対しても有害でないが、摘花効果が十分でない。
【０００４】
【特許文献１】
特願２００１−２０６８０４号公報（第２頁）
【０００５】
【発明が解決しようとする課題】
本発明者は、散布したときに散布面に被膜を形成せず、樹木及び人体に対して安全で、かつ適正な摘花効果がある摘花剤を見出すべく鋭意検討を重ねた結果、本発明を完成した。
【０００６】
【課題を解決するための手段】
すなわち、本発明の一つは、有機過酸を有効成分として含有する摘花剤に関する。本発明のもう一つは、有機過酸を有効成分として含有する摘花剤を、花が約５０％開花したとき、及び満開になったときに散布することを特徴とする摘花方法に関する。
【０００７】
【発明の実施の形態】
本発明の有機過酸としては、過酢酸、過プロピオン酸、過ブチル酸、過カプロン酸、過カプリル酸、及び過カプリン酸等であるが、過酢酸が最も好ましい。
以下の説明においては、過酢酸を代表例として説明する。
【０００８】
本発明の、過酢酸を有効成分として含有する摘花剤は、過酸化水素と酢酸、必要により、触媒として硫酸、リン酸等の鉱酸を用いて製造することができ、通常は、過酢酸、過酸化水素、酢酸、及び水からなる平衡過酢酸水溶液として得られる。このように調整される平衡過酢酸水溶液の過酢酸濃度は、好ましくは、０．０１〜１０重量％、より好ましくは、０．１〜６重量％である。
【０００９】
本発明の摘花剤は、りんご、ナシ、桃、西洋ナシ、サクランボ及びスモモ等の果樹に適用でき、その散布方法は、前記のように調整した摘花剤をそのまま、或いは水道水等で希釈して果樹に散布する。果樹に散布する際の過酢酸濃度は、好ましくは、１００〜６００ｐｐｍ、より好ましくは、２００〜４００ｐｐｍになるように調製する。
散布の時期及び散布回数は、果樹の種類によって異なるが、一般には、花が約５０％開花したときと、満開になったときの二回散布することが好ましい。
散布量は、１０アール当たり、２００〜３００リットルが好ましい。
【００１０】
【実施例】
実施例１
もも樹の花が約５０％開花したとき、及びその３日後（満開時）に下記の平衡過酢酸水溶液（商品名：「オキシグリーン」）を水道水で３０倍に希釈した希釈液を、それぞれ桃畑１アール当たり２５リットル散布した。その結果、各結果枝の結実数は、２〜３個であり、多くの花が摘花された。（「オキシグリーン」は、日本カルオキサイド株式会社の商品で、過酢酸  １ｗｔ％、過酸化水素  ５ｗｔ％、酢酸  １５ｗｔ％、及び水からなる平衡過酢酸水溶液である。）
【００１１】
比較例１〜２
摘花剤として、平衡過酢酸水溶液の代わりに０．２ｗｔ％過酸化水素水、或いは０．５ｗｔ％酢酸水溶液を用いた以外は実施例１と同様に開花時と満開時の２回桃畑１アール当たり２５リットル散布した。各結果枝の結実数は、どちらの場合も６〜１０個であり、適正に摘花されなかった。
【００１２】
【発明の効果】
本発明によれば、簡単な作業で、かつ樹勢を弱めることなく、適正に果樹の摘花を行うことができ、高品質の果実を得ることができる。
(57)【要約】【課題】缶ジュースを飲むとき、飲み始めたら、最後まで飲まなければならず、ほかのところにもっていきずらかった。ペットボトルだと自動販売機で買いづらかった．【解決手段】缶ジュースにペットボトルのふたをつけられるようにする。【選択図】  図１
2004307055.tif 000002
【特許請求の範囲】
【請求項１】
缶の飲み口の大きさに合わせたふたの上にペットボトルの飲み口を組み合わせた製品
【発明の詳細な説明】
【０００１】
【発明の属する技術分野】
缶のふたをあけた後でも持ち運んで何度でも飲むことができる製品に関すものである。
【０００２】
【従来の技術】
従来は缶を空けてしまうと持ち運びに不便だった。
【０００３】
【発明が解決しようとする課題】
▲１▼  缶のふたを空けてしまうとその場で飲んでしまうしかなかった。
▲２▼  ペットボトルだと、捨てると、ごみとしてかさばっていた。
【０００４】
【課題を解決するための手段】
ペットボトルの上の部分だけを使って、缶ジュースの飲み口につけられるようにする。
【０００５】
【発明の実施の形態】
缶ジュースの飲み口の大きさに合った抗菌のゴム製のふたを缶の飲み口の丸状の金属の部分をゴムで上下に挟み込めるようにする。
その缶のふたの上にペットボトルのふたを組み合わせる。
【０００６】
【発明の効果】
これによって、缶ジュースをいつでも好きなときに好きなだけ飲むことができる。
ペットボトルのゴミが減らすことができる。
【図面の簡単な説明】
【図１】本発明の斜視図である。
【図２】本発明の平面図である。
【符号の説明】
１ペットボトルのふた
２缶をはさむところ
３ストラップなどをつけるところ
【図１】
2004307055.tif 000003
【図２】
2004307055.tif 000004
(57)【要約】      （修正有）【課題】女性や子供及び高齢者でも安心して取扱うことができ、安価な商品を購入することができる容器を提供する。【解決手段】容器の上部と底部を凹凸若しくは凸凸状にし、互いに逆方向に回転させ複数の容器を一つに固定することができるようにする。【選択図】図８
2004307053.tif 000002
【特許請求の範囲】
【請求項１】
プラスチック製ボトル容器の上部の部分を凹か凸状にする，更に，底部の部分も凹か凸状にして別々の容器を重ね合わせて互いに逆方向に回転させて数個の容器を結合させることで一度に数個の容器を持ち運ぶことを可能にした容器。
【発明の詳細な説明】
【０００１】
【発明の属する技術分野】本発明は液体を入れる為のプラスチック容器の上部を凸状，下部も凸状にして（凸は図１で示した帯状の突起で凸の一方を鉤形にするか図２ようにするか若しくは図３の様する）又，上部を凸状にし下部を凹状（その逆でも同じ）にすることで  ，別々の容器を重ね合わせて互いを逆方向に回転させることで数個の容器を結合させて固定し一度に持ち運ぶことを可能にした容器。
【０００２】
【従来の技術】従来の液体を入れる容器でその容器を持ち運びをするときは一本単位の持ち運びとなるので，特に宅配便を利用する場合は一本単位で料金がかかってしまうので輸送コストが割高になっていました。その為に一本１０リッター位の少量の容器では輸送コストが割高になるので，商品価格も連動して割高になっていました。その一方で，この容器は地球環境のために何度も繰り返して使用するので（酒の一升瓶と同じ使用方法）空容器を回収します。そのさい，特に風の強い日は容器が軽いので風で飛ばされる危険性があり非常に神経を使い，通常の倍ちかい作業時間がかかってしまいました。空容器を手から離すことができないので，非能率てきであった。更に，宅配便での空容器の回収でも個々に対して料金がかかってしまうという欠点があった。
【０００３】
【発明が解決しようとする課題】この容器では重ねて持ち運ぶ事ができないので，宅急便で輸送するのと経費が係過ぎて不適当であり，又，空容器の回収のときも風に飛ばされる危険性があるので，時間の浪費及びストレスをうけたりしています。消費者（特に女性及び，高齢者）が使用する場合は大型容器（２０リットル位入り）だと重くて使いにくいし，小型容器（１０リットル位入り）だと扱いやすいが，割高の商品を購入しなければならないという問題があった。本発明はこの課題を解消するためになされたものである。
【０００４】
【課題を解決するための手段】容器の，上部に左右対称に最低２個所を凸状にし，底部も上部と同様に凸状にする。この方法では底部か上部の凸部の一方の高さの位置を変えることで数個の容器を固定できるようにする（図１，２参照）。若しくは上部に凸を並行に隙間をあけて作り一方の角をむすびつける，底部には凸を作りセットするときに上部の間隔を開けたところにはいるようにす（図３参照）。最後の方法は上部を凸に底部を凹（この反対も可能）にし容器を凹ました方の部分に凸がセットされるようにする。いずれの場合でも，容器を重ねて置いて，その容器を互いに逆方向に回転させることで，複数の容器を一つに結合し固定することができる。
【０００５】
【発明の実施の形態】上部と底部が各々凸状か凹凸状になるような加工を施したブロー成形用の金型を作製する。
【０００６】
【実施例】ブロー成形機により，考案したボトルの製品をつくる。
【０００７】
【発明の効果】本発明は容器を一度に数段の持ち運び可能にしたことで，輸送コストを半減することができたので，消費者（特に女性や高齢者）に安価で扱い易い商品を供給することができるようになり又，風の強い日でも能率的に作業することができるようになったので作業効率も上がり，風でとばされた容器のために思わぬアクシデントが起こる可能性も極端に減少させることができる。
【図面の簡単な説明】
【図１】本発明のかんごう部分と容器の側面図
【図２】本発明のかんごう部分と容器の側面図
【図３】本発明のかんごう部分と容器の側面図
【図４】本発明のかんごう部分と容器の断面図（図３の容器の断面図）
【図５】本発明のかんごう部分と容器の断面図（図１，２容器の断面図）
【図６】本発明かんごう部分と容器の上面図（図１，２，３の容器のかんごう部）
【図７】本発明かんごう部分と容器の底面図（図１，２，３の容器のかんごう部）
【図８】本発明かんごう部分とかんごうした２つの容器の側面図
【図１】
2004307053.tif 000003
【図２】
2004307053.tif 000004
【図３】
2004307053.tif 000005
【図４】
2004307053.tif 000006
【図５】
2004307053.tif 000007
【図６】
2004307053.tif 000008
【図７】
2004307053.tif 000009
【図８】
2004307053.tif 000010
【手続補正書】
【提出日】平成15年5月23日(2003.5.23)
【手続補正１】
【補正対象書類名】明細書
【補正対象項目名】０００４
【補正方法】変更
【補正の内容】
【０００４】
【課題を解決するための手段】
容器の，上部の所を数個所凸状にする。底部も上部と同様に凸状にする。この方法では底部か上部の凸部の一方の高さの位置を変えることで数個の容器を固定できるようにする。（図１，２参照）若しくは上部に凸を並行に隙間をあけて作り一方の角を結びつける，低部には凸を作り（この反対も可能）セットするときは間隔を開けた凸と凸の中にもう一方の凸がはいるようにする。（図３参照）最後は上部を凸に底部を凹（この反対の可能）にし容器を凹ました方の部分に凸がセットされるようにする。いずれの場合でも，容器を重ねて置いて，その容器を互いに逆方向に回転させることで，複数の容器を一つに結合  固定することができる。


【手続補正２】
【補正対象書類名】明細書
【補正対象項目名】０００５
【補正方法】変更
【補正の内容】
【０００５】
【発明の実施の形態】上部と底部が各々凸状か凹凸状になるような加工を施したプラスチック成形用の金型を作製する。


【手続補正３】
【補正対象書類名】明細書
【補正対象項目名】０００６
【補正方法】変更
【補正の内容】
【０００６】
【解実施例】プラスック成形機により，考案したボトルの製品を作る。
(57)【要約】【課題】収納するものの大きさや形に関係なく、収納物に合わせて区分け収納する事を可能とする。【解決手段】この発明は、（１）（２）（３）（４）（５）の間仕切り板に（７）（７ａ）（８）（８ａ）（９）（９ａ）（１０）（１０ａ）（１１）（１１ａ）の切り込みをつけ、その切り込みに、マチとして（６）（６ａ）（６ｂ）（６ｃ）を通し、そのマチにそって間仕切り板（１）（２）（３）（４）（５）が各々別々自在に移動することを可能にしたものである。【選択図】  図１
2004307030.tif 000002
【特許請求の範囲】
【請求項１】
間仕切り板（１）（２）（３）（４）（５）に切り込みを入れ、それにマチ部分を構成する（６）（６ａ）（６ｂ）（６ｃ）を通し、収納部分を確保し、間仕切り板がそのマチ部を独立自在に移動し、収納物の大きさや形状に合わせて、収納部分を自在に構成出来る事を可能にしたことを特徴とする間仕切りつき収納入れ。
【発明の詳細な説明】
【発明に属する技術分野】
この発明は、鞄や収納ケースに物を入れるとき、中に入れる収納物の大きさや形状に関係なく、簡単自在に区分け分割収納する事を可能にした収納入れである。この収納入れを鞄や収納ケースの中に組み込む事により、収納物が内部で乱雑になる事を防ぎ、簡単自在に整然と区分け収納出来る事を可能にしたものである。
【従来の技術】
（１）    従来は複数以上の物を分類収納する場合、そのままだと収納する容器の中で乱雑になってしまい、別々の袋などに入れて区分け分類収納しなければならず、取り出すときも個々の袋を開いて出し入れしなければならない為、利便性に欠けるものであった。
【発明が解決しようとする課題】
（２）    そこでこの発明は、上記の課題を解決する物であり、複数の間仕切り板にそれを連結させ、マチ部の役割を持つ生地を通す切り込みを入れ、その切り込みに生地を通し、複数の間仕切り板が、そのマチ部分を自由に移動出来るようにし、収納するものの大きさや形に関係なく、収納物に合わせて区分け収納する事を可能にしたものである。
（３）    間仕切り板の数を増減させる事により、収納場所の数の増減も自由になり、目的に合った最適な収納を可能にしたものである。
【課題を解決する為の手段】
（４）    この発明は、（１）（２）（３）（４）（５）の間仕切り板に（７）（７ａ）（８）（８ａ）（９）（９ａ）（１０）（１０ａ）（１１）（１１ａ）の切り込みをつけ、その切り込みに、マチとして（６）（６ａ）（６ｂ）（６ｃ）を通し、そのマチにそって間仕切り板（１）（２）（３）（４）（５）が各々別々自在に移動することを可能にしたものである。
（５）    またこの発明は、間仕切り板（１）（２）（３）（４）（５）が自在に動く為、収納場所の形状が固定されず、自在に変化させる事が出来る為、収納物の形状に合わせて収納場所を変化させ、より有効に利用できるようにしたものである。
【発明の効果】
この発明は、鞄や収納ケース等に、自在に間仕切り可能な収納入れをセットする事により、収納物が簡単に区分け出来、さらに間仕切り板が自在に移動出来るため、収納する物の形状や大きさに合わせて容易に収納場所を確保出来、利便性に富んだものにしている。
また、鞄や収納ケースを持ち運ぶ時も、間仕切り板を移動させることにより、加重のバランスを取ることが可能になり、それにより安定的な運搬移動を可能にし、利便性を極めて向上させた物である。
また、間仕切り板の数を用途に合わせて増減させる事が出来、使用しない部分は間仕切り板を移動させて、必要部分だけ使用する事も可能にしたものである。
【図面の簡単な説明】
【図１】この発明の実施形態を示す斜視図である。
【図２】この発明の間仕切り板を使用しない時の実施形態を示す斜視図である。
【図３】この発明の部分利用した時の実施形態を示す斜視図である。
【図４】この発明の変形利用した時の実施形態を示す斜視図である。
【図５】この発明の部分利用した時の実施形態を示す斜視図である。
【符号の説明】
１      間仕切り板
２      間仕切り板
３      間仕切り板
４      間仕切り板
５      間仕切り板
６      マチ部分
６ａ    マチ部分
６ｂ    マチ部分
６ｃ    マチ部分
７      切り込み部分
７ａ    切り込み部分
８      切り込み部分
８ａ    切り込み部分
９      切り込み部分
９ａ    切り込み部分
１０    切り込み部分
１０ａ  切り込み部分
１１    切り込み部分
１１ａ  切り込み部分
【図１】
2004307030.tif 000003
【図２】
2004307030.tif 000004
【図３】
2004307030.tif 000005
【図４】
2004307030.tif 000006
【図５】
2004307030.tif 000007
(57)【要約】【課題】コギングトルクが小さく、かつ製造や管理にかかるコストが小さい永久磁石形回転子を提供する。【解決手段】回転軸２もしくは回転軸２に嵌合固着した回転子ヨーク３の外周面に永久磁石５を取付けるとともに、永久磁石５の外周面に保護環４を配置してなる内転型の永久磁石形回転子１において、保護環４に、内部に磁石収納部４ｂを有する突部４ａを周方向に等間隔に形成し、磁石収納部４ｂ内に、棒状の永久磁石片５ａ，５ｂ，５ｃを３個以上周方向に並べて収納固定するとともに、中央部の永久磁石片５ｂの磁力を端部側の永久磁石片５ａ，５ｃの磁力よりも強くする。【選択図】　　　図１
2004096942.tif 000002
【特許請求の範囲】
【請求項１】
回転軸もしくは回転軸に嵌合固着した回転子ヨークの外周面に永久磁石を取付けるとともに、前記永久磁石の外周面に保護環を配置してなる内転型の永久磁石形回転子において、
前記保護環に、内部に磁石収納部を有する突部を周方向に等間隔に形成し、前記磁石収納部内に、棒状の永久磁石片を３個以上周方向に並べて収納固定するとともに、中央部の永久磁石片の磁力を端部側の永久磁石片の磁力よりも強くしたことを特徴とする永久磁石形回転子。
【請求項２】
前記永久磁石片が少なくとも外周面に円弧を有する略角棒形状であることを特徴とする請求項１に記載の永久磁石形回転子。
【請求項３】
前記永久磁石片が丸棒形状であることを特徴とする請求項１に記載の永久磁石形回転子。
【発明の詳細な説明】
【０００１】
【発明の属する技術分野】
本発明は、回転軸もしくは回転軸に嵌合固着した回転子ヨークの外周面に永久磁石を取付けて構成した内転型の永久磁石形回転子に関するものである。
【０００２】
【従来の技術】
内転型の永久磁石形回転子は、回転軸もしくは回転軸に嵌合固着した回転子ヨークの外周面に複数個の扇状の永久磁石を接着剤で貼り付けて構成されている。しかしながら、前記永久磁石は、永久磁石形回転子の回転時の遠心力で飛ばされるおそれがあるので、従来は、前記永久磁石の外周面に保護環を被せて回転時に永久磁石が飛散しないようにしていた（特許文献１参照）。
【０００３】
【特許文献１】
特開昭６３−２３５４３号公報
【０００４】
【発明が解決しようとする課題】
しかしながら、このような従来の永久磁石形回転子においては、次のような問題があった。
（１）　扇状永久磁石の磁力は周方向にわたって全体的に同じなので、固定子巻線との鎖交磁束が正弦波状に変化することはなく、回転子の回転時に大きなコギングトルクが発生し滑らかな回転ができない。
（２）　一個の扇状の永久磁石の大きさを変える場合は、その都度永久磁石を製造するため、多くの種類の永久磁石が必要であり、製造や管理にかかるコストが大きい。
本発明は、このような問題を解決するためになされたもので、コギングトルクが小さく、かつ製造や管理にかかるコストが小さい永久磁石形回転子を提供することを目的とするものである。
【０００５】
【課題を解決するための手段】
上記問題を解決するため、本発明は、回転軸もしくは回転軸に嵌合固着した回転子ヨークの外周面に永久磁石を取付けるとともに、前記永久磁石の外周面に保護環を配置してなる内転型の永久磁石形回転子において、前記保護環に、内部に磁石収納部を有する突部を周方向に等間隔に形成し、前記磁石収納部内に、棒状の永久磁石片を３個以上周方向に並べて収納固定するとともに、中央部の永久磁石片の磁力を端部側の永久磁石片の磁力よりも強くするようにしたものである。
【０００６】
【発明の実施の形態】
以下、本発明の実施例を図に基づいて説明する。
図１は本発明の実施例を示す永久磁石形回転子の上半部の正断面図である。
図１において、１は永久磁石形回転子、２は回転軸、３は前記回転軸２に嵌合固着した回転子ヨーク、４は前記回転子ヨーク３の外周面に嵌合取付けした保護環で、突部４ａを周方向に等間隔に形成するとともに、前記突部４ａの内部に磁石収納部４ｂを設けている。５は外周面と内周面が円弧状になった略角棒状の永久磁石で、前記保護環４の磁石収納部４ｂに３個の永久磁石片５ａ，５ｂ，５ｃを収納固定して構成している。前記永久磁石片５ａ，５ｂ，５ｃは、中央部の永久磁石片５ｂの磁力を、両端の永久磁石片５ａ，５ｃの磁力よりも大きくしている。
このような構成において、永久磁石５は中央部の磁力が強く、両端部の磁力が弱いものとなっているので、図示しない固定子巻線との鎖交磁束が正弦波状に変化することになり、永久磁石形回転子１の回転時に発生するコギングトルクは小さく、永久磁石形回転子１の回転は滑らかになる。
前記永久磁石形回転子１の永久磁石５を大きくする場合は、保護環４の突部４ａを周方向に広くして磁石収納部４ｂを広げ、磁石収納部４ｂに収納する永久磁石片の数を増やすようにする。この場合も、例えば、４個の永久磁石片を収納した場合、中央部の２個の永久磁石片の磁力を、両端部の磁石片の磁力よりも強くする。
なお、本発明においては、前記永久磁石５は、回転子ヨーク３ではなく、回転軸２の外周面に直接取付けるようにしてもよい。
また、前記永久磁石片は、略角棒形状でなく丸棒形状でもよい。この場合は、永久磁石片が回転しないように、接着剤で固着したり、あるいは永久磁石片の上部か下部に平坦面を形成するようにする。
【０００７】
【発明の効果】
以上述べたように、本発明によれば、次のような効果がある。
（１）　固定子巻線との鎖交磁束を正弦波状に変化させることができるので、回転時にコギングトルクを小さくすることができ、回転を滑らかにすることができる。
（２）　永久磁石の大きさを、永久磁石片の数を増減することによって、容易に変えることができるので、永久磁石形回転子の製造と管理のコストを大きく低減することができる。
【図面の簡単な説明】
【図１】本発明の実施例の永久磁石形回転子を示す上半部の正断面図である。
【符号の説明】
１　　永久磁石形回転子
２　　回転軸
３　　回転子ヨーク
４　　保護環
４ａ　突部
４ｂ　磁石収納部
５　　永久磁石
５ａ，５ｂ，５ｃ　永久磁石片
【図１】
2004096942.tif 000003